(57)【要約】【課題】卓上設置型の低温ショーケースにおいて、テーブルの設置スペースの縮小や陳列室の高さ位置の上昇を防止しながら、据え付け作業性も良好に維持できる構造を提供する。【解決手段】低温ショーケース１は、上部に位置して商品を陳列する陳列室９が構成された陳列部２と、この陳列部２の下方に位置して当該陳列部２と一体化され、圧縮機１９や凝縮器２１等が設置されたユニット部３とを備え、このユニット部３の圧縮機１９の運転により陳列部２の陳列室９内は冷却されると共に、陳列部２とユニット部３間には、テーブルを挿入して着脱可能に取り付けるためのテーブル取付部２７を構成した。【選択図】図２
2008132105.tif 000002
【特許請求の範囲】
【請求項１】
上部に位置して商品を陳列する陳列室が構成された陳列部と、該陳列部の下方に位置して当該陳列部と一体化され、圧縮機や凝縮器等が設置されたユニット部とを備え、
該ユニット部の前記圧縮機の運転により前記陳列部の前記陳列室内は冷却されると共に、前記陳列部と前記ユニット部間には、テーブルを挿入して着脱可能に取り付けるためのテーブル取付部を構成したことを特徴とする低温ショーケース。
【請求項２】
前記陳列部に設けられた冷却器を備え、該冷却器と前記ユニット部内の前記圧縮機等を配管接続したことを特徴とする請求項１に記載の低温ショーケース。
【請求項３】
前記ユニット部に設けられた冷却器を備え、該冷却器と前記陳列部の前記陳列室内とをダクトにより連通させたことを特徴とする請求項１に記載の低温ショーケース。
【発明の詳細な説明】
【技術分野】
【０００１】
本発明は、商品を冷却しながら陳列する低温ショーケースに関するものである。
【背景技術】
【０００２】
従来よりこの種低温ショーケースは、商品を陳列する陳列室が開口しており、或いは、その周囲が透明壁及び透明扉にて囲繞されており、内部に冷却器で冷却された冷気を循環することで商品を冷却しながら陳列する構成とされている。特に、卓上型と称される小型の卓上設置型低温ショーケースは、店舗のカウンタテーブル上等に設置されて飲料等の比較的小型の商品を陳列販売する用途に使用されている（例えば、特許文献１参照）。
【特許文献１】特開平７−３５４６７号公報
【特許文献２】特開昭６４−４６５５６号公報
【発明の開示】
【発明が解決しようとする課題】
【０００３】
しかしながら、前記特許文献１のように圧縮機等の冷却ユニットが陳列室と一体化された低温ショーケースでは、カウンタテーブル上のスペースを大きく占有する問題がある。また、低温ショーケースには陳列室下方に冷却ユニットを設置したタイプもあるが、このタイプではカウンタテーブルの高さが高くなると低温ショーケースの陳列室の位置が高くなり、商品を取り出し難くなる。
【０００４】
一方、従来より陳列室と冷却ユニットを分離し、陳列室のみカウンタテーブル上等に設置し、冷却ユニットは床面に設置して両者間をダクトで連通する構造も提案されている（例えば、特許文献２参照）。しかしながら、係る構造では据え付け時に陳列室の部分と冷却ユニットの部分とをダクトで連結する作業が必要となり、据え付け作業性が悪化すると共に、据え付け位置の移動も困難となるため、卓上型低温ショーケースのメリットを減殺してしまう問題があった。
【０００５】
本発明は、係る従来の技術的課題を解決するために成されたものであり、所謂卓上設置型の低温ショーケースにおいて、テーブルの設置スペースの縮小や陳列室の高さ位置の上昇を防止しながら、据え付け作業性も良好に維持できる構造を提供するものである。
【課題を解決するための手段】
【０００６】
本発明の低温ショーケースは、上部に位置して商品を陳列する陳列室が構成された陳列部と、この陳列部の下方に位置して当該陳列部と一体化され、圧縮機や凝縮器等が設置されたユニット部とを備え、このユニット部の圧縮機の運転により陳列部の陳列室内は冷却されると共に、陳列部とユニット部間には、テーブルを挿入して着脱可能に取り付けるためのテーブル取付部を構成したことを特徴とする。
【０００７】
請求項２の発明の低温ショーケースは、上記において陳列部に設けられた冷却器を備え、この冷却器とユニット部内の圧縮機等を配管接続したことを特徴とする。
【０００８】
請求項３の発明の低温ショーケースは、請求項１の発明においてユニット部に設けられた冷却器を備え、この冷却器と陳列部の陳列室内とをダクトにより連通させたことを特徴とする。
【発明の効果】
【０００９】
本発明の低温ショーケースは、上部に位置して商品を陳列する陳列室が構成された陳列部と、この陳列部の下方に位置して当該陳列部と一体化され、圧縮機や凝縮器等が設置されたユニット部とを備えており、このユニット部の圧縮機の運転により陳列部の陳列室内は冷却されるようにすると共に、陳列部とユニット部間には、テーブルを挿入して着脱可能に取り付けるためのテーブル取付部を構成しているので、例えば店舗のカウンタテーブル上で商品を陳列販売する場合には、陳列部とユニット部間のテーブル取付部にカウンタテーブルを挿入するかたちで陳列部を当該カウンタテーブル上に載置し、テーブル取付部に当該カウンタテーブルを着脱可能に取り付け、即ち、低温ショーケースをカウンタテーブルに着脱可能に取り付けることにより、陳列室を備えた陳列部はカウンタテーブル上、圧縮機、凝縮器等を備えたユニット部はカウンタテーブル下と云うかたちで分けて設置することができるようになる。
【００１０】
これにより、カウンタテーブル上の占有スペースの縮小を図ることができるようになると共に、カウンタテーブルの高さが高い場合にも、陳列室の高さを低い位置に抑え、商品の取り出し易さを担保することができるようになる。この場合、陳列部とユニット部とは一体化されているので、据え付け作業や移動作業も容易となり、所謂卓上型低温ショーケースの利点も維持できる。
【００１１】
また、係るカウンタテーブルに設置する場合以外では、テーブル取付部に板状のテーブルを挿入して取り付けることにより、陳列部とユニット部間にテーブルを備えた低温ショーケースを構成できると云う効果もある。
【００１２】
特に、請求項２の発明の如く陳列部に冷却器を設け、冷却器とユニット部内の圧縮機等を配管接続するようにすれば、ユニット部内に冷却器を設ける場合に必要となるユニット部内の断熱構造も不要となり、全体としての小型化を図ることが可能となる。
【００１３】
一方、請求項３の発明の如くユニット部に冷却器を設け、冷却器と陳列部の陳列室内とをダクトにより連通させれば、陳列部の陳列室の高さ位置をより低く維持することが可能となり、カウンタテーブルの高さが高い店舗に設置する場合には、極めて好適なものとなる。
【発明を実施するための最良の形態】
【００１４】
以下、図面に基づき本発明の一実施形態を詳述する。
【実施例１】
【００１５】
図１は本発明を適用した実施例の低温ショーケース１の正面図、図２は低温ショーケース１の縦断側面図をそれぞれ示している。実施例の低温ショーケース１は所謂卓上型と称される低温ショーケースであり、上部に位置する陳列部２と、その下方に位置して当該陳列部２と一体化されたユニット部３とから構成されている。
【００１６】
陳列部２は本体となる断熱壁４と、この断熱壁４の上縁周囲に立設された透明壁（ガラス板、硬質合成樹脂板等から成る）６・・・と、底板７と、この底板７の前端及び後端（一端及び他端）に立設され、前面及び後面（一端及び他端）の透明壁６、６の内側に間隔を存して配置された透明な仕切板８、８等から構成されており、左右側面（両側面）の透明壁６、６と前後の仕切板８、８とで囲繞された底板７上の空間に上面開口の陳列室９が構成されている。尚、後面の透明壁６は断熱性を考慮して二重ガラス（或いは、二重の硬質合成樹脂板）にて構成されている。
【００１７】
断熱壁４は上面に開口する所定の深さの縦長矩形容器状を呈しており、透明壁６・・・はこの断熱壁４の開口縁の周囲（前後辺及び左右辺）にそれぞれ立設されている。底板７は断熱壁４の底面から離間して配置されており、この底板７と断熱壁４の底面間に冷却室１１が構成され、この冷却室１１内には冷却ユニット１２の冷媒回路の一部を構成する冷却器１３と送風機１４が設置されている。
【００１８】
また、後側の仕切板８と後面の透明壁６間の間隔下端は冷却室１１の後端に連通しており、前側の仕切板８と前面の透明壁６間の間隔下端も冷却室１１の前端に連通している。後面の透明壁６の上縁は前方（内方）に屈曲されており、前面の透明壁６の上縁は後方（内方）に屈曲されている。そして、この後面の透明壁６と後側の仕切板８の上縁間に冷気吐出口１６が、また、前面の透明壁６と前側の仕切壁８上縁間には冷気吸込口１７が形成されている。
【００１９】
断熱壁４の後部（他端部）は下方に延在して連結部４Ａとされており、その下端はユニット部３の後部（他端部）上端に連結されている。ユニット部３はその後部（他端部）から下部に渡るアングル材（図示せず）を備え、このアングル材の後辺上端が連結部４Ａ内を経て陳列部２の後部（他端部）に連結され、これにより、陳列部２とユニット部３は十分な強度で一体化されている。ユニット部３のユニットベース１８は前述したアングルの下辺に溶接固定されており、このユニットベース１８上の空間に機械室２０が構成され、この機械室２０内に冷却ユニット１２の冷媒回路の一部を構成する圧縮機１９、凝縮器２１、凝縮器用送風機２２等の重量部品が収納されてユニットベース１８上に設置されている。陳列部２内の冷却器１３は断熱壁４の連結部４Ａ内を通過する冷媒配管２３（二経路あり）によってユニット部３内の圧縮機１９や凝縮器２１に接続されており、これら及び図示しない減圧装置が環状に接続されて冷却ユニット１２の周知の冷媒回路が構成されている。
【００２０】
実施例では最も重量の嵩む圧縮機１９がユニットベース１８の前部（一端部）に配置されており、凝縮器２１は後部（他端部）に位置し、凝縮器用送風機２２はそれらの間に配置されている。ユニット部３の機械室２０の周囲はケーシング２４によって被覆されており、このケーシング２４の前面、側面、後面及び底面には複数の通気口２６・・・（図３の斜視図に示す）が形成されている。尚、ユニット部３内には図示しないドレン皿が設けられている。陳列部２の冷却室１１からのドレン水は連結部４Ａ内を通る図示しない配水管からこのドレン皿内に排出され、蒸発処理される。
【００２１】
また、ケーシング２４の上面２４Ａは断熱壁４の底面４Ｂ下方に離間して位置しており、これにより、陳列部２とユニット部３の間には前面と左右（一端と両側）が開放されたテーブル取付部２７が構成されている。尚、このテーブル取付部２７の上下寸法は通常より厚めのテーブル板を挿入する際にも十分な値に設定されており、実施例では１４０ｍｍとされている。
【００２２】
そして、ケーシング２４の上面２４Ａには取付ボルト２８が螺合して取り付けられ、テーブル取付部２７側に突出している。この取付ボルト２８の位置は実施例では操作性を考慮して上面２４Ａの略中央部左右にあるが、可能な限り連結部４Ａに近い方が強度上望ましい。また、取付ボルト２８は実施例の二本に限らず、上面２４Ａの四隅（四本）などに設けても良い。更に、断熱壁４の底面４Ｂ四隅には硬質ゴム或いは樹脂等から構成された脚部２９が取り付けられている。
【００２３】
ユニット部３内の圧縮機１９が運転されると、圧縮機１９から吐出された高温高圧の冷媒は凝縮器２１で凝縮器用送風機２２により空冷され、凝縮する。この圧縮機１９や凝縮器２１を空冷するための外気はケーシング２４の後面の通気口２６から機械室２０内に流入し、左右面、底面及び前面の通気口２６から排出される。この凝縮した冷媒は冷媒配管２３を経て陳列部２に至り、図示しない減圧装置（膨張弁やキャピラリチューブ）で絞られた後、冷却器１３に流入して蒸発する。このときの吸熱によって冷却作用を発揮する。冷却器１３を出た冷媒は冷媒配管２３を経てユニット部３に戻り、圧縮機１９に吸い込まれる循環を繰り返す。
【００２４】
送風機１４が運転されると、冷却器１３と熱交換して冷却された冷却室１１内の冷気が冷気吐出口１６から陳列室９の開口方向（前方）に吐出され、開口にエアーカーテンを形成しながら冷気吸込口１７に流入し、冷却室１１内に戻る循環を繰り返す。このエアーカーテンを形成した冷気の一部は陳列室９内に循環し、陳列室９内の商品（飲料等）を冷却する。また、圧縮機１９は陳列室９内の温度を所定の冷蔵温度に維持するように運転制御され、これにより、陳列室９内の商品は所定温度に冷却されながら陳列されることになる。
【００２５】
次に、本発明の低温ショーケース１の設置方法を説明する。先ず、例えば店舗のカウンタテーブル（テーブル）ＣＴ上にて商品を陳列販売する場合には、図１、図２に示すように陳列部２とユニット部３間のテーブル取付部２７内に、当該取付部２７の前面側からカウンタテーブルＴＣを挿入するかたちで陳列部２を当該カウンタテーブルＴＣ上面に載置する。この場合、カウンタテーブルＴＣが連結部４Ａに近接若しくは当接するまでテーブル取付部２７内に挿入する。
【００２６】
次に、取付ボルト２８を回転させてその上面を上昇させ、カウンタテーブルＴＣの下面に当接させて締め付ける。これによってカウンターテーブルＴＣは陳列部２とユニット部３（の取付ボルト２８）との間に挟持され、実施例では低温ショーケース１がカウンタテーブルＴＣに着脱可能に取り付けられたかたちとなる。このとき、ユニット部３はカウンタテーブルＴＣ下側に位置し格納される。即ち、この取付状態では陳列室９を備えた陳列部２はカウンタテーブルＴＣ上、冷却ユニット１２の圧縮機１９、凝縮器２１等を備えたユニット部３はカウンタテーブルＴＣ下と云うかたちで分けて設置される。
【００２７】
これにより、カウンタテーブルＴＣ上の占有スペースの縮小を図ることができるようになる。特に、圧縮機１９等が設置されたユニット部３はカウンタテーブルＴＣの下側に格納されるかたちとなるので、カウンタテーブルＴＣの高さが高い場合でも、陳列室９の高さを低い位置に抑えることができる。これにより、商品の取り出し易さを担保することができるようになる。
【００２８】
尚、低温ショーケース１を移動する際には、取付ボルト２８を緩めてその上面を下降させ、カウンタテーブルＴＣ下面から離間させれば、低温ショーケース１をカウンタテーブルＴＣから容易に取り外し、或いは、その位置を移動させることができる。即ち、本発明では陳列部２とユニット部３とは一体化されているので、据え付け作業や移動作業も容易となり、所謂卓上型低温ショーケースの利点も維持することができる。
【００２９】
特に、この実施例では陳列部２の冷却室１１内に冷却器１３を設け、この冷却器１３とユニット部３内の圧縮機１９等とを配管接続している。ここで、ユニット部３内に冷却器を設ける場合にはこのユニット部３内の冷却器の周囲を断熱壁にて囲繞する必要があるが、この実施例のように冷却器１３を陳列部２側に設ければ、係る断熱構造も不要となって全体としての小型化を図ることが可能となる。
【００３０】
また、図１や図２のようにカウンタテーブルＴＣに設置しないときには、図３のようにテーブル取付部２７内に板状のテーブルＴを挿入し、取付ボルト２８によって前述同様に低温ショーケース１に取り付ければ、陳列部２とユニット部３間にテーブルＴを備えた低温ショーケースを構成することもできる。
【実施例２】
【００３１】
尚、上記実施例では冷却器１３を陳列部２の冷却室１１内に設けたが、それに限らず、冷却器１３及び送風機１４をユニット部３内に設けてもよい。その場合は、ユニット部３内に断熱箱体を収納し、この断熱箱体内に冷却室１１を構成する。そして、この冷却室１１内に冷却器１３及び送風機１４を収納すると共に、連結部４Ａ内には二系路のダクトを構成して、一方でこの断熱箱体内の冷却室１１の冷気吐出側（冷却器１３の冷気出口側）と陳列部２の冷気吐出口１６を連通し、他方で陳列部２の冷気吸込口１７と断熱箱体内の冷却室１１の冷気吸込側（送風機１４の冷気吸込側）とを連通させる。
【００３２】
そして、ユニット部３の断熱箱体内の冷却器１３と熱交換した冷却室１１内の冷気をダクトを経て陳列部２の冷気吐出口１６に送り、この冷気吐出口１６から吐出して陳列室９内を冷却する。そして、この陳列室９内の冷気を冷気吸込口１７から吸い込み、ダクトを経てユニット部３の断熱箱体内の送風機１４に戻す冷気循環を構成する。
【００３３】
このような構成にすれば、前記実施例のように陳列室９の下方に冷却室１１を構成しなけて済むので、同じ陳列室９の容積であれば透明壁６の高さをより低くすることが可能となり、カウンタテーブルＴＣの高さが高い店舗に設置する場合には、極めて好適なものとなる。
【図面の簡単な説明】
【００３４】
【図１】本発明を適用した実施例の低温ショーケースの正面図である。
【図２】図１の低温ショーケースの縦断側面図である。
【図３】図１の低温ショーケースにテーブルを取り付けた場合の斜視図である。
【符号の説明】
【００３５】
１  低温ショーケース
２  陳列部
３  ユニット部
４  断熱壁
４Ａ  連結部
９  陳列室
１１  冷却室
１３  冷却器
１４  送風機
１９  圧縮機
２１  凝縮器
２７  テーブル取付部
２８  取付ボルト
【図１】
2008132105.tif 000003
【図２】
2008132105.tif 000004
【図３】
2008132105.tif 000005